(57)【要約】【課題】記憶している電話帳の管理を容易にする電話装置及び電話帳情報管理プログラムを提供する。【解決手段】呼制御部４は、通信命令を受けて発呼を行い、該発呼に対する応答を受け通信を確立し、さらに切断の通知を受けて通信の切断を行う。履歴管理部６は、呼制御部４が発呼した後に通信が確立しない状態で発呼先から切断の通知を受ける未通信切断が発生したか否かを判定し、未通信切断が発生した場合、発呼先の電話番号に対応する未通信切断があった旨を記録する。電話帳管理部３は、未通信切断の回数に基づいて、前記未通信切断に対応する電話番号を電話帳情報から削除する。【選択図】図１
2012244186.tif 000002
【特許請求の範囲】
【請求項１】
電話番号を含む電話帳情報を記憶する電話帳記憶部と、
通信命令を受けて発呼を行い、該発呼に対する応答を受け通信を確立し、さらに切断の通知を受けて通信の切断を行う呼制御部と、
前記呼制御部が発呼した後に通信が確立しない状態で発呼先から切断の通知を受ける未通信切断が発生したか否かを判定し、前記未通信切断が発生した場合、前記発呼先の電話番号に対応する未通信切断回数があった旨を記録する履歴管理部と、
前記未通信切断の回数に基づいて、前記未通信切断に対応する電話番号を前記電話帳情報から削除する電話帳管理部と
を備えたことを特徴とする電話装置。
【請求項２】
前記履歴管理部は、前記呼制御部が発呼した後に発呼先からの応答を受け、該発呼先との通信が確立したか否かをさらに判定し、該発呼先との通信が確立したと判定した場合、該発呼先の電話番号に対応する前記未通信切断があった旨の記録を初期状態に戻すことを特徴とする請求項１に記載の電話装置。
【請求項３】
前記未通信切断が発生した場合に、該未通信切断が発生した発呼先からの応答不可通知を受信する通知受信部をさらに備え、
前記履歴管理部は、前記通知受信部が応答不可通知を受信した場合、該応答不可通知を送信した発呼先の電話番号に対応する前記未通信切断があった旨の記録を初期状態に戻す
ことを特徴とする請求項１又は請求項２に記載の電話装置。
【請求項４】
前記呼制御部は、他の電話装置からの着信を受け、
前記履歴管理部は、前記呼制御部が着信を受けた場合、該着信の発信元の電話番号に対応する前記未通信切断があった旨の記録を初期状態に戻す
ことを特徴とする請求項１〜請求項３のいずれか一つに記載の電話装置。
【請求項５】
電話装置により実行される電話帳情報管理プログラムであって、
通信命令を受けて発呼を行い、
前記発呼を行った後に通信が確立しない状態で発呼先から切断の通知を受ける未通信切断が発生したか否かを判定し、
前記未通信切断が発生したと判定した場合、前記発呼先の電話番号に対応する未通信切断があった旨を記録し、
前記未通信切断の回数に基づいて、前記未通信切断に対応する電話番号を、電話番号を含む電話帳情報を記憶する電話帳記憶部から削除する
処理を、前記電話装置に実行させることを特徴とする電話帳情報管理プログラム。
【発明の詳細な説明】
【技術分野】
【０００１】
本発明は、電話装置及び電話帳情報管理プログラムに関する。
【背景技術】
【０００２】
近年、電話装置には、電話帳を記憶しておくメモリが内蔵されていることが一般的である。そして、メモリ技術の発展により、メモリの小型化及び大容量化が進んでいる。このようなメモリの大容量化に伴い、電話帳に登録できる電話番号の件数が格段に増加してきている。例えば、最近の電話装置に記憶されている電話帳としては、３０００件程度の電話番号を登録できるものがある。
【０００３】
また、電話装置の電話帳に登録された電話番号の件数は、電話装置の使用に合わせて増加していく。そこで、電話帳に登録できる電話番号の件数が増加した電話装置では、非常に多くの電話番号が登録されることになる。このように、多くの電話番号が登録されている場合、電話装置の利用者は、電話帳の中から目的の相手の電話番号を検索するのに手間がかかってしまう。
【０００４】
ここで、従来技術として、着信拒否の対象となる電話番号を登録した着信拒否リストを有する電話装置において、電話番号を登録する際に、着信拒否リストの中に当該電話番号があるか否かを調べ、ある場合には着信拒否リストから削除する技術が提案されている。
【先行技術文献】
【特許文献】
【０００５】
【特許文献１】特開２００５−５７５１７号公報
【発明の概要】
【発明が解決しようとする課題】
【０００６】
しかしながら、電話番号を登録した後は、電話帳を見直して不要な電話番号を消すことは煩雑であり、利用者が行うことはまれであり、不要な電話番号を電話帳から削除することは困難であった。また、着信拒否リストから登録しようとする電話番号を削除する従来技術を用いても、着信拒否リストの精査を実施することはできるが、電話帳から不要な電話番号を削除することは困難であった。
【０００７】
開示の技術は、上記に鑑みてなされたものであって、記憶している電話帳の管理を容易にする電話装置及び電話帳情報管理プログラムを提供することを目的とする。
【課題を解決するための手段】
【０００８】
本願の開示する電話装置及び電話帳情報管理プログラムは、一つの態様において、電話帳記憶部は、電話番号を含む電話帳情報を記憶する。呼制御部は、通信命令を受けて発呼を行い、該発呼に対する応答を受け通信を確立し、さらに切断の通知を受けて通信の切断を行う。履歴管理部は、前記呼制御部が発呼した後に通信が確立しない状態で発呼先から切断の通知を受ける未通信切断が発生したか否かを判定し、前記未通信切断が発生した場合、前記発呼先の電話番号に対応する未通信切断があった旨を記録する。電話帳管理部は、前記未通信切断の回数に基づいて、前記未通信切断に対応する電話番号を前記電話帳情報から削除する。
【発明の効果】
【０００９】
本願の開示する電話装置及び電話帳情報管理プログラムの一つの態様によれば、記憶している電話帳の管理を容易にするという効果を奏する。
【図面の簡単な説明】
【００１０】
【図１】図１は、実施例１及び実施例２に係る携帯電話のブロック図である。
【図２】図２は、連続切断回数記録テーブルの一例を表す図である。
【図３】図３は、実施例１に係る電話装置の電話帳管理の処理のフローチャートである。
【図４】図４は、実施例１に係る携帯電話による電話番号削除の動作の一例を説明するためのシーケンス図である。
【図５】図５は、実施例２に係る携帯電話における着信による連続切断回数のリセットの処理のフローチャートである。
【図６】図６は、実施例２に係る携帯電話における自動返信メールの受信による連続切断回数のリセットの処理のフローチャートである。
【図７】図７は、携帯電話のハードウェア構成図である。
【発明を実施するための形態】
【００１１】
以下に、本願の開示する電話装置及び電話帳情報管理プログラムの実施例を図面に基づいて詳細に説明する。なお、以下の実施例により本願の開示する電話装置及び電話帳情報管理プログラムが限定されるものではない。特に、以下の説明では、電話装置として携帯電話を例に説明するが、電話装置であれば特に制限は無く、例えば、固定電話であってもよい。
【実施例１】
【００１２】
図１は、実施例１及び実施例２に係る携帯電話のブロック図である。図１に示すように、本実施例に係る携帯電話１００は、無線制御部１、電話帳記憶部２、電話帳管理部３、呼制御部４、電話制御部５、履歴管理部６、入力制御部７、表示制御部８及び履歴記録部９を有している。
【００１３】
無線制御部１は、呼制御部４から発呼や切断を行うための信号や、音声データなどの通信信号を受信する。この発呼や切断を行うための信号については後で詳細に説明する。そして、無線制御部１は、受信した信号を無線信号に変換し、無線信号を通信先に送信する。また、無線制御部１は、他の携帯電話などの通信元から無線信号を受信する。そして、無線制御部１は、受信した無線信号を音声信号や呼制御部４が処理可能な信号に変換し呼制御部４へ出力する。
【００１４】
呼制御部４は、入力制御部７から操作者からの通信命令を受信する。そして、呼制御部４は、発呼を行うための発呼信号を通信先に送信する。以下では、発呼信号の送信先を「発呼先」と言う。本実施例では、呼制御部４は、発呼信号としてＳＥＴＵＰ信号を送信する。さらに、呼制御部４は、発呼を行った場合は、電話番号などの発呼先の情報を含む発呼の情報を電話制御部５へ出力する。
【００１５】
また、呼制御部４は、発呼信号に対する応答である応答信号を発呼先から無線制御部１を介して受信する。呼制御部４が応答信号を受けることで、携帯電話１００と発呼先とが接続され通信が確立される。通信が確立されることにより、携帯電話１００と発呼先との間で通話が行えるようになる。本実施例では、呼制御部４は、応答信号としてＣＡＬＬ−ＣＯＮＮ信号を受信する。以下では、このように通信が確立した発呼先を「通信相手」と言う。さらに、呼制御部４は、発呼先からのＣＡＬＬ−ＣＯＮＮ信号を受信した場合には、通信確立の情報を電話制御部５へ出力する。
【００１６】
また、呼制御部４は、発呼先又は通信相手が切断信号を送信した場合、無線制御部１を介して切断信号を受信する。そして、呼制御部４は、通信を切断する。例えば、呼制御部４は、発呼先の着信拒否リストに自装置の電話番号が登録されている場合や、発呼先において設定されている呼出し回数の呼び出しを行っても発呼先の操作者が応答命令を行わない場合に切断信号を受信する。また、呼制御部４は、通信相手の操作者が切断命令を入力した場合に、通信相手から切断信号を受信する。本実施例では、呼制御部４は、切断信号として、ＣＬＥＡＲ信号を受信する。さらに、呼制御部４は、発呼先からのＣＬＥＡＲ信号を受信した場合には、切断の情報を電話制御部５へ出力する。
【００１７】
逆に、呼制御部４は、他の携帯電話などから無線制御部１を介してＳＥＴＵＰ信号を受信する。このように、呼制御部４がＳＥＴＵＰ信号を受信することで、携帯電話１００はＳＥＴＵＰ信号の送信先から着信を受ける。次に、呼制御部４は、ＳＥＴＵＰ信号の発信元の電話番号を電話制御部５に出力する。その後、電話制御部５から切断命令を受けると、切断信号であるＣＬＥＡＲ信号をＳＥＴＵＰ信号の発信元に送信する。これに対して、ＳＥＴＵＰ信号を受信後、入力制御部７から応答命令を受けると、呼制御部４は、ＳＥＴＵＰ信号の発信元に応答信号であるＣＡＬＬ−ＣＯＮＮ信号を送信する。さらに、呼制御部４は、ＣＡＬＬ−ＣＯＮＮ信号を送信した場合には、通信確立の情報を電話制御部５へ出力する。
【００１８】
また、呼制御部４は、通信の確立後、入力制御部７から操作者による切断命令を受信した場合、通信相手に切断信号であるＣＬＥＡＲ信号を送信する。さらに、呼制御部４は、ＣＬＥＡＲ情報を送信した場合には、切断の情報を電話制御部５へ出力する。
【００１９】
また、呼制御部４は、メールや音声データなどの通信データの入力を電話制御部５から受ける。そして、呼制御部４は、受信した通信データを無線制御部１へ送信する。
【００２０】
電話制御部５は、発呼先の情報を含む発呼の情報を呼制御部４から受信する。また、電話制御部５は、通信が確立した場合には、通信確立の情報を呼制御部４から受信する。また、電話制御部５は、切断の情報を呼制御部４から受信する。そして、電話制御部５は、発呼から切断までの一連の情報を発呼先の情報とともに履歴管理部６へ出力する。ここで、発呼から切断までの一連の情報には、通信が確立していない場合には通信確立の情報が含まれず、通信が確立した場合には通信確立の情報が含まれる。
【００２１】
また、電話制御部５は、入力制御部７から電話帳表示の命令が入力されると、電話帳を電話帳記憶部２から読み出す。そして、電話制御部５は、読み出した電話帳の表示を表示制御部８に指示する。
【００２２】
また、電話制御部５は、音声データ及びメールのデータの入力を入力制御部７から受ける。そして、電話制御部５は、受信した音声データ及びメールのデータを呼制御部４へ出力する。
【００２３】
また、電話制御部５は、電話番号の削除の通知を履歴管理部６から受信する。そして、電話制御部５は、当該電話番号の削除メッセージを表示するように表示制御部８に指示する。
【００２４】
さらに、電話制御部５は、音声データを呼制御部４から受信する。そして、電話制御部５は、スピーカ（不図示）に音声データを出力させる。また、電話制御部５は、メールのデータの入力を呼制御部４から受ける。そして、電話制御部５は、メールを表示制御部８へ出力し、出力したメールの表示を表示制御部８に指示する。
【００２５】
履歴記録部９は、メモリなどの記憶装置である。履歴記録部９は、通信の情報を記録している。ここで、通信の情報とは、例えば、発信日時及び発呼先の情報を含む発呼情報、並びに切断日時を含む切断情報などである。さらに、履歴記録部９は、発呼したが通信が確立することなく、発呼先から切断が行われた未通信切断の回数を記憶している。例えば、本実施例では、履歴記録部９は、未通信切断が何回連続して発生したかを表す連続切断回数を記憶している。図２は、連続切断回数記録テーブルの一例を表す図である。履歴記録部９は、例えば、図２に示すような連続切断回数記録テーブル２００を記憶している。連続切断回数記録テーブル２００は、電話番号２０１に対応させて、未通信切断が何回連続して発生しているかを表す連続切断回数２０２が記載されている。さらに、本実施例では、連続切断回数記録テーブル２００には、電話番号２０１に対応させて電話帳から削除されているか否かを示す電話帳削除状態２０３が記載されている。
【００２６】
履歴管理部６は、発呼から切断までの一連の情報を発呼先の情報とともに電話制御部５から受信する。そして、履歴管理部６は、発信日時及び発呼先の情報を含む発呼情報、並びに切断日時を含む切断情報などを履歴記録部９へ記録する。
【００２７】
さらに、履歴管理部６は、受信した発呼から切断までの一連の情報が、発呼したのちに通信が確立せずに切断がなされたことを示している場合には、未通信切断が発生したと判定する。そして、履歴管理部６は、履歴記録部９が有している連続切断回数記録テーブル２００を参照し、受信した発呼先の電話番号が連続切断回数記録テーブル２００の電話番号２０１の欄に記載されているか否かを判定する。連続切断回数記録テーブル２００に受信した発呼先の電話番号が有る場合、履歴管理部６は、その電話番号に対応する連続切断回数２０２の欄をインクリメントし回数を１増やす。そして、履歴管理部６は、受信した発呼先の電話番号の連続切断回数２０２の欄の値が１０になったか否かを判定する。連続切断回数２０２が１０になっている場合には、履歴管理部６は、連続切断回数２０２が１０になった電話番号の電話帳からの削除を電話制御部５に通知する。併せて、履歴管理部６は、連続切断回数２０２が１０になった電話番号の電話帳からの削除を電話帳管理部３に指示する。その後、履歴管理部６は、削除命令を指示した電話番号に対応する連続切断回数記録テーブル２００の電話帳削除状態２０３の欄を削除に変更する。例えば、図２の電話番号２１１に対応する連続切断回数２２１は１０回となっている。そこで、履歴管理部６は、連続切断回数２０２が１０になっていることを確認すると、電話番号２１１の電話帳からの削除を電話制御部５に通知する。併せて、履歴管理部６は、電話帳管理部３に電話番号２１１の電話帳からの削除を指示する。さらに、履歴管理部６は、連続切断回数記録テーブル２００の電話帳削除状態２２２を削除に変更する。
【００２８】
ここで、本実施例では連続切断回数の閾値を１０としたが、この値に特に制限はなく、この閾値はどのくらいの回数まで電話番号を残しておくかなどの運用条件に合わせて設定されることが好ましい。
【００２９】
また、連続切断回数記録テーブル２００に受信した発呼先の電話番号が無い場合、履歴管理部６は、電話番号２０１の欄に発呼先の電話番号を加え、さらに、その電話番号に対応する連続切断回数２０２の欄を１とする。
【００３０】
また、履歴管理部６は、受信した発呼から切断までの一連の情報において、通信が確立したことが示されている場合、受信した発呼先の電話番号が連続切断回数記録テーブル２００の電話番号２０１の欄に記載されているか否かを判定する。連続切断回数記録テーブル２００に受信した発呼先の電話番号が有る場合、履歴管理部６は、その電話番号に対応する連続切断回数２０２の欄を初期値である０にリセットする。ここで、本実施例では、初期値を０としたが、この初期値は他の値をとってもよく、例えば１を初期値として用いるなどしてもよい。このように、履歴管理部６は、通信が確立した電話番号の連続切断回数２０２をリセットすることで、未通信切断の連続した回数をカウントすることができる。この連続切断回数の初期値が、「未通信切断があった旨の記録の初期状態」の一例にあたる。
【００３１】
電話帳管理部３は、電話帳に記載されている電話番号の削除の指示を履歴管理部６から受ける。そして、電話帳管理部３は、電話帳記憶部２に記憶されている電話帳の中から指定された電話番号を検索する。そして、電話帳管理部３は、検索した電話番号を電話帳から削除する。これにより、電話帳記憶部２に記憶されている電話帳から、連続１０回未通信切断が発生した電話番号が削除される。本実施例では連続１０回未通信切断が発生した電話番号を不要な電話番号として電話帳から削除し、これにより、電話帳の中から不要な電話番号を自動的に削除することができ、電話帳に登録された電話番号の数を抑えることができる。
【００３２】
入力制御部７は、キーパッドなどを用いた操作者から指示が入力される。例えば、入力制御部７は、電話帳の表示命令の入力を受ける。そして、入力制御部７は、電話帳の表示命令を電話制御部５に通知する。また、入力制御部７は、電話帳の中から指定された電話番号への通信命令の入力を受ける。そして、入力制御部７は、指定された電話番号への通信命令を呼制御部４へ送信する。また、入力制御部７は、キーパッドからのダイヤル入力を受ける。そして、入力制御部７は、入力された電話番号を呼制御部４へ送信する。
【００３３】
表示制御部８は、電話制御部５からの表示命令を受けて、液晶画面などのモニタに画像を表示させる。例えば、表示制御部８は、電話制御部５からの電話帳の表示命令を受けて、モニタに電話帳を表示させる。操作者は、表示制御部８によってモニタに表示された情報を参照しながら、キーパッドなどによる入力を行う。また、表示制御部８は、電話番号の削除メッセージの表示の指示を電話制御部５から受信すると、当該電話番号の削除メッセージをモニタに表示させる。
【００３４】
次に、図３を参照して、本実施例に係る電話装置の電話帳管理の処理について説明する。ここで、図３は、実施例１に係る電話装置の電話帳管理の処理のフローチャートである。
【００３５】
操作者は、キーパッドなどを用いて、通信先の電話番号を含む通信要求を入力する（ステップＳ１０１）。入力制御部７は、操作者から受信した通信要求を呼制御部４へ送信する。
【００３６】
呼制御部４は、入力制御部７から通信要求を受信する。そして、呼制御部４は、指定された通信先に向けて発呼を行う（ステップＳ１０２）。本実施例では、呼制御部４は、通信先にＳＥＴＵＰ信号を送信する。
【００３７】
その後、呼制御部４は、ＣＬＥＡＲ信号を受信したか否かにより、切断が発生したか否を判定する（ステップＳ１０３）。切断が発生していない場合（ステップＳ１０３否定）、呼制御部４は、切断が発生するまで待機する。
【００３８】
これに対して、切断が発生した場合（ステップＳ１０３肯定）、電話制御部５は、切断の発生の通知を受信し、履歴管理部６に対して発呼から切断までの情報を発呼先の電話番号と共に送信する。そして、履歴管理部６は、受信した発呼先の電話番号が電話帳に登録されているか否かを判定する（ステップＳ１０４）。履歴管理部６は、発呼先の電話番号が電話帳に登録されていないと判定した場合（ステップＳ１０４否定）、ステップＳ１１１に進む。
【００３９】
一方、発呼先の電話番号が電話帳に登録されている場合（ステップＳ１０４肯定）、履歴管理部６は、発呼から切断までの情報を確認し、応答信号であるＣＡＬＬ−ＣＯＮＮ信号を受信しているか否かを判定する（ステップＳ１０５）。応答信号を受信している場合（ステップＳ１０５肯定）、履歴管理部６は、発呼先の電話番号に対応する連続切断回数記録テーブルの連続切断回数を初期値にリセットする（ステップＳ１０６）。
【００４０】
これに対して、応答信号を受信していない場合（ステップＳ１０５否定）、履歴管理部６は、発呼先の電話番号に対応する連続切断回数記録テーブルの連続切断回数を１つインクリメントする（ステップＳ１０７）。
【００４１】
次に、履歴管理部６は、インクリメントした連続切断回数が１０回になっているか否かを判定する（ステップＳ１０８）。１０回になっている場合（ステップＳ１０８肯定）、履歴管理部６は、電話制御部５に電話番号の削除を通知する。そして、電話制御部５は、表示制御部８に対して電話番号の削除メッセージの表示を指示する。これを受けて、表示制御部８は、電話番号の削除メッセージをモニタに表示させる（ステップＳ１０９）。
【００４２】
そして、履歴管理部６は、電話番号の削除命令を電話帳管理部３に通知する。電話帳管理部３は、履歴管理部６からの指示を受けて、該当する電話番号を電話帳記憶部２が記憶している電話帳から削除する（ステップＳ１１０）。
【００４３】
また、発呼先が電話帳にない場合（ステップＳ１０４否定）及び連続切断回数がリセットされた場合（ステップＳ１０６）、履歴管理部６は、発信履歴を履歴記録部９へ記録する（ステップＳ１１１）。また、連続切断回数が１０回に満たない場合（ステップＳ１０８否定）も、履歴管理部６は、発信履歴を履歴記録部９へ記録する（ステップＳ１１１）。なお、上述の実施例では、電話番号毎に未通信切断の回数を記録しておき、当該回数が所定値となった場合に削除対象とする例を説明したが、これに限られない。例えば、図２に示したようなデータテーブルに、未通信切断が発生する都度対応する電話番号を記録したレコードを追加し、一の電話番号に対応するレコードの数が所定値となった場合に、当該一の電話番号を削除対象とする、という実施例も考えられる。つまり、未通信切断が発生した際に、未通信切断が発生した旨を電話番号に対応付けて記録しておき、この発生回数に基づいて、削除する電話番号を特定するようにすればよい。
【００４４】
次に、図４を参照して、本実施例に係る携帯電話による電話番号削除の動作の概略を説明する。図４は、実施例１に係る携帯電話による電話番号削除の動作の一例を説明するためのシーケンス図である。
【００４５】
図４の携帯電話３０１〜３０３はそれぞれ別個の携帯電話を表している。ここでは、携帯電話３０１の動作について説明する。携帯電話３０１と携帯電話３０２及び携帯電話３０３とはそれぞれ無線通信が可能である。そして、携帯電話３０１〜３０３のそれぞれから紙面に向かって下に延びる線は各携帯電話の動作を表しており、矢印の終点が有る場合には信号の受信、矢印の始点がある場合には信号の送信を表している。そして、携帯電話３０１〜３０３のそれぞれから紙面に向かって下に延びる線同士を結ぶ矢印は、始点から終点に向けての信号の送信を表している。さらに、履歴４０１〜４０４はそれぞれ各々に延びる点線矢印の始点のタイミングでの携帯電話３０１の通信履歴を表している。また、電話帳５０１は、図４で示される電話番号の削除が行われる前の状態の電話帳を表している。また、電話帳５０２は、図４で示される電話番号の削除が行われた後の状態の電話帳を表している。
【００４６】
図４で示す電話番号削除が行われる前には、電話帳５０１に示すように、携帯電話３０１には、携帯電話３０２及び携帯電話３０３の電話番号が登録されている。
【００４７】
携帯電話３０１は、ＳＥＴＵＰ信号を携帯電話３０２へ送信し、携帯電話３０２はこのＳＥＴＵＰ信号を受信する（ステップＳ２０１）。次に、携帯電話３０２は、ＣＡＬＬ−ＣＯＮＮ信号を携帯電話３０１へ送信し、携帯電話３０１はこのＣＡＬＬ−ＣＯＮＮ信号を受信する（ステップＳ２０２）。次に、携帯電話３０２は、ＣＬＥＡＲ信号を携帯電話３０１へ送信し、携帯電話３０１はこのＣＬＥＡＲ信号を受信する（ステップＳ２０３）。
【００４８】
ここでは、携帯電話３０１と携帯電話３０２との間では、発呼後に通信が確立し、その後、切断が発生しているので、履歴４０１のように、携帯電話３０１の通話履歴では、携帯電話３０２との通話がＯＫとなる。
【００４９】
次に、携帯電話３０１は、ＳＥＴＵＰ信号を携帯電話３０３へ送信し、携帯電話３０３はこのＳＥＴＵＰ信号を受信する（ステップＳ２０４）。次に、携帯電話３０３は、ＣＡＬＬ−ＣＯＮＮ信号を携帯電話３０１へ送信し、携帯電話３０１はこのＣＡＬＬ−ＣＯＮＮ信号を受信する（ステップＳ２０５）。次に、携帯電話３０３は、ＣＬＥＡＲ信号を携帯電話３０１へ送信し、携帯電話３０１はこのＣＬＥＡＲ信号を受信する（ステップＳ２０６）。
【００５０】
ここでは、携帯電話３０１と携帯電話３０３との間では、発呼後に通信が確立し、その後、切断が発生しているので、履歴４０２のように、携帯電話３０２との通話ＯＫの次に、携帯電話３０３との通話がＯＫとなる。
【００５１】
次に、携帯電話３０１は、ＳＥＴＵＰ信号を携帯電話３０２へ送信し、携帯電話３０２はこのＳＥＴＵＰ信号を受信する（ステップＳ２０７）。次に、携帯電話３０２は、ＣＬＥＡＲ信号を携帯電話３０１へ送信し、携帯電話３０１はこのＣＬＥＡＲ信号を受信する（ステップＳ２０８）。
【００５２】
ここでは、携帯電話３０１と携帯電話３０２との間では、通信が確立せずに切断が発生しているので、履歴４０３のように、携帯電話３０３の通話がＯＫとなった後の携帯電話３０２との通信履歴が未通信切断となる。図４では未通信切断の連続した回数が分かりやすいように、未通信切断の後に連続切断回数を付加して表している。
【００５３】
そして、ステップＳ２０８の後、ステップＳ２０９までの間に、携帯電話３０１と携帯電話３０２との間で未通信切断が８回連続して発生したものとする。
【００５４】
さらに、携帯電話３０１は、ＳＥＴＵＰ信号を携帯電話３０２へ送信し、携帯電話３０２はこのＳＥＴＵＰ信号を受信する（ステップＳ２０９）。次に、携帯電話３０２は、ＣＬＥＡＲ信号を携帯電話３０１へ送信し、携帯電話３０１はこのＣＬＥＡＲ信号を受信する（ステップＳ２１０）。
【００５５】
ここで、携帯電話３０１と携帯電話３０２との間では、通信が確立せずに切断が発生しているので、履歴４０４のように、携帯電話３０２との未通信切断が９回発生した後の、携帯電話３０２との通信履歴は、未通信切断となる。この時点で、履歴４０４に示すように、携帯電話３０２との未通信切断が１０回連続で発生している。そこで、携帯電話３０１の履歴管理部６は、携帯電話３０２との間で未通信切断が連続して１０回発生したと判定する（ステップＳ２１１）。
【００５６】
履歴管理部６は、携帯電話３０２の電話番号の電話帳からの削除を電話帳管理部３に指示する。電話帳管理部３は、電話帳記憶部２が記憶している電話帳の中から携帯電話３０２の電話番号を削除する（ステップＳ２１２）。
【００５７】
これにより、電話帳５０２のように、携帯電話３０２の電話番号は削除され、携帯電話３０３の電話番号のみが残ることになる。このように、不要な電話番号である携帯電話３０２の電話番号が電話帳から自動的に削除されることになる。
【００５８】
以上に説明したように、本実施例に係る電話装置は、ある電話番号に対する通信において、予め決められた回数の未通信切断が連続して発生した場合、電話帳からその電話番号を自動的に削除する。これにより、不要と考えられる電話番号を電話帳から削除することができ、電話帳に登録された電話番号の増加を抑えることができる。したがって、電話帳の管理を容易に行うことができ、電話番号の検索などが迅速に行える。
【００５９】
ここで、以上の説明では、応答信号を受信するとその応答信号の発信元の連続切断回数をリセットすることで、未通信切断回数の連続回数が予め決められた値になったときに電話番号を削除することとした。しかし、この電話番号削除の判定に用いる値は未通信切断が連続した回数でなくてもよい。例えば、単に累積数が所定の値を超えた場合に削除するとしてもよい。その場合、未通信切断の回数のリセットは行わなくても良い。また、所定の回数応答信号を受けるまで、未通信切断回数のカウントをリセットしないようにしても良い。
【００６０】
また、以上の説明では、未通信切断回数が予め決められた回数連続した場合、電話番号を削除しているが、操作者の確認の入力を待って削除を行うようにしてもよい。
【実施例２】
【００６１】
次に、実施例２に係る電話装置について説明する。本実施例に係る電話装置は、相手からの着信や自動返信メールを受信した場合にも、連続切断回数をリセットすることが実施例１と異なるものである。以下では、電話装置として携帯電話を例に説明する。本実施例に係る携帯電話も図１のブロック図で表される。以下で特に説明の無い限り、実施例１と同じ符号を有する各部は同じ機能を有するものとする。
【００６２】
電話制御部５は、他の電話からの着信、すなわちＳＥＴＵＰ信号の受信の通知を呼制御部４から受ける。そして、電話制御部５は、着信の通知及びＳＥＴＵＰ信号の発信先の電話番号を履歴管理部６へ送信する。
【００６３】
また、電話制御部５は、呼制御部４が行った発呼に対する自動返信メールを呼制御部４から受信する。ここで、自動返信メールとは、電話を受けることができない状態でＳＥＴＵＰ信号を受信した場合に、電話に出ることができない旨を通知するメールである。電話を受けることができない場合に、操作者は、予め自動返信メールの機能を設定しておくことで、ＳＥＴＵＰ信号を受信した場合に、自動的に自動返信メールがＳＥＴＵＰ信号の発信元に返信される。自動返信メールは、例えば、ヘッダなどにそのメールが自動返信メールであることを表す情報が付加されている。そのため、電話制御部５は、受信したメールのヘッダなどを参照することで、そのメールが自動返信メールであることを判定できる。この自動返信メールが、「応答付加通知」の一例にあたる。
【００６４】
ここで、本実施例では、電話帳に電話番号に対応させてメールアドレスが格納されているものとする。電話制御部５は、受信した自動返信メールのメールアドレスを用いて電話帳を検索し、自動返信メールの発信元の電話番号を取得する。そして、電話制御部５は、自動返信メールを受信の通知及び自動返信メールの発信元の電話番号を履歴管理部６に通知する。ここで、本実施例では、自動返信メールとしてメールアドレスを用いて通信を行うシステムを用いる場合で説明したが、これは他のシステムを用いてもよく、例えば、ＳＭＳ（Short  Message  Service）などを用いてもよい。例えば、自動返信メールとしてＳＭＳを用いる場合、メールのアドレスが電話番号であるので、電話制御部５は、自動返信メールから発信元の電話番号を取得することができる。
【００６５】
履歴管理部６は、ＳＥＴＵＰ信号の発信元の電話番号及び着信の通知を電話制御部５から受信する。そして、履歴管理部６は、ＳＥＴＵＰ信号の発信元の電話番号に対応する連続切断回数記録テーブルの連続切断回数をリセットする。
【００６６】
また、履歴管理部６は、自動返信メールの受信の通知及び自動返信メールの発信元の電話番号を電話制御部５から受信する。そして、履歴管理部６は、自動返信メールの発信元の電話番号に対応する連続切断回数記録テーブルの連続切断回数をリセットする。
【００６７】
次に、図５を参照して、本実施例に係る携帯電話における着信による連続切断回数のリセットの処理について説明する。図５は、実施例２に係る携帯電話における着信による連続切断回数のリセットの処理のフローチャートである。
【００６８】
呼制御部４は、無線制御部１を介して他の携帯電話からのＳＥＴＵＰ信号を受信することで、他の携帯電話からの着信を受ける（ステップＳ３０１）。そして、呼制御部４は、着信を受けたことをＳＥＴＵＰ信号の発信元の電話番号とともに電話制御部５へ通知する。
【００６９】
そして、呼制御部４は、通信相手からのＣＬＥＡＲ信号の受信又は自装置の操作者からの切断命令の受信により切断を行うか否かを判定する（ステップＳ３０２）。切断を行わない場合（ステップＳ３０２否定）、呼制御部４は、切断を行うまで待機する。
【００７０】
これに対して、切断を行う場合（ステップＳ３０２肯定）、電話制御部５は、切断の通知を呼制御部４から受ける。そして、電話制御部５は、ＳＥＴＵＰ信号の発信元の電話番号及び着信した旨の通知を履歴管理部６に送信する。履歴管理部６は、電話制御部５から受信した電話番号を電話帳から検索し、発信元の電話番号が電話帳に登録されているか否かを判定する（ステップＳ３０３）。電話帳に登録されていない場合（ステップＳ３０３否定）、履歴管理部６は、連続切断回数のリセットの処理を終了する。
【００７１】
これに対して、電話帳に登録されている場合（ステップＳ３０３肯定）、履歴管理部６は、履歴記録部９が記憶している連続切断回数記録テーブルに発信元の電話番号に対応する連続切断回数の記録があるか否かを判定する（ステップＳ３０４）。発信元の電話番号に対応する連続切断回数の記録が連続切断回数記録テーブルにない場合（ステップＳ３０４否定）、履歴管理部６は、連続切断回数のリセットの処理を終了する。
【００７２】
一方、発信元の電話番号に対応する連続切断回数の記録が連続切断回数記録テーブルにある場合（ステップＳ３０４肯定）、履歴管理部６は、連続切断回数記録テーブルにおける発信元の電話番号に対応する連続切断回数をリセットする（ステップＳ３０５）。
【００７３】
次に、図６を参照して、本実施例に係る携帯電話における自動返信メールの受信による連続切断回数のリセットの処理について説明する。図６は、実施例２に係る携帯電話における自動返信メールの受信による連続切断回数のリセットの処理のフローチャートである。
【００７４】
電話制御部５は、無線制御部１及び呼制御部４を介して他の携帯電話からのメールを受信する（ステップＳ４０１）。
【００７５】
そして、電話制御部５は、受信したメールが自動返信メールか否かを判定する（ステップＳ４０２）。自動返信メールでない場合（ステップＳ４０２否定）、電話制御部５及び履歴管理部６は、連続切断回数のリセットの処理を終了する。
【００７６】
これに対して、自動返信メールの場合（ステップＳ４０２肯定）、電話制御部５は、自動返信メールの発信元の電話番号を電話帳から取得する。そして、電話制御部５は、自動返信メールの発信元の電話番号及び自動返信メールを受信した旨の情報を履歴管理部６に送信する。履歴管理部６は、電話制御部５から受信した電話番号を電話帳から検索し、発信元の電話番号が電話帳に登録されているか否かを判定する（ステップＳ４０３）。電話帳に登録されていない場合（ステップＳ４０３否定）、履歴管理部６は、連続切断回数のリセットの処理を終了する。
【００７７】
これに対して、電話帳に登録されている場合（ステップＳ４０３肯定）、履歴管理部６は、履歴記録部９が記憶している連続切断回数記録テーブルに発信元の電話番号に対応する連続切断回数の記録があるか否かを判定する（ステップＳ４０４）。発信元の電話番号に対応する連続切断回数の記録が連続切断回数記録テーブルにない場合（ステップＳ４０４否定）、履歴管理部６は、連続切断回数のリセットの処理を終了する。
【００７８】
一方、発信元の電話番号に対応する連続切断回数の記録が連続切断回数記録テーブルにある場合（ステップＳ４０４肯定）、履歴管理部６は、連続切断回数記録テーブルにおける発信元の電話番号に対応する連続切断回数をリセットする（ステップＳ４０５）。
【００７９】
以上に説明したように、本実施例に係る電話装置は、着信を受けた場合及び自動返信メールを受信した場合に、それらの発信元の電話番号に対応する連続切断回数をリセットする。これにより、未通信切断の連続回数は累積してはいるが、未通信切断が連続する間に先方から着信があった場合や、電話に出られない状態による未通信切断の発生の場合には、必要な電話番号であると判定することができる。そのため、実際には必要な電話番号を不要な電話番号と判定してしまうことを抑制でき、単に未通信切断の連続回数から電話番号の要否を判定する場合に比べて、よりきめ細やかな電話帳の管理を行うことができる。
【００８０】
ここで、以上では、着信を受けた場合及び自動返信メールを受信した場合のいずれの場合にも連続切断回数をリセットするものとしたが、これはどちらか一方だけでもよい。そのようにどちらか一方のみを対象としてリセットを行った場合にも、単に未通信切断の連続回数から電話番号の要否を判定する場合に比べれば、きめ細やかな電話帳の管理を行うことができる。
【００８１】
また以上では、着信及び自動返信メールをトリガとして連続切断回数のリセットを行う場合で説明したが、このトリガは電話番号の要否が判定できる情報、例えば、電話番号の使用が確認できるような情報であれば他の情報を用いてもよい。例えば、通常のメールが送られてきた場合に、その発信元の電話番号に対応する連続切断回数をリセットしてもよい。
【００８２】
さらに、以上では、他の携帯電話からの何らかの情報の受信をトリガとして、連続切断回数のリセットを行うものとして説明したが、例えば、操作者からの連続切断回数のリセット命令を受けた場合に、連続切断回数をリセットするようにしてもよい。
【００８３】
〔ハードウェア構成〕
図７は、携帯電話のハードウェア構成図である。以上に説明した各実施例に係る携帯電話は、図７に示すようなハードウェア構成を有している。
【００８４】
携帯電話１００は、アンテナ１０１０、無線部１０２０、オーディオ入出力部１０３０、スピーカ１０３１、マイク１０３２、プロセッサ１０４０、記憶部１０５０、表示部１０６０及びキー入力部１０７０を有している。記憶装置１０５０は、ＲＯＭ（Read  Only  Memory）１０５１及びＲＡＭ（Random  Access  Memory）１０５２を有している。
【００８５】
無線部１０２０、オーディオ入出力部１０３０、記憶部１０５０、表示部１０６０及びキー入力部１０７０は、それぞれプロセッサ１０４０と接続される。また、アンテナ１０１０は、無線部１０２０と接続される。また、スピーカ１０３１及びマイク１０３２は、オーディオ入出力部１０３０と接続される。表示部１０６０は、モニタなどである。キー入力部１０７０は、キーパッドなどである。
【００８６】
無線部１０２０及びプロセッサ１０４０は、アンテナ１０１０を介して無線通信を行うことで、図１における無線制御部１の機能を実現している。
【００８７】
ＲＡＭ１０５２は、図１における電話帳記憶部２及び履歴記録部９の機能を実現している。また、ＲＡＭ１０５２は、上述した各種の処理において読み書きが行われるデータを記憶する。また、ＲＯＭ１０５１には、上述した各種の処理を実施する機能を発揮する携帯電話制御プログラムが記憶されている。
【００８８】
そして、プロセッサ１０４０及び記憶部１０５０は、例えば、図１における電話帳管理部３、呼制御部４、電話制御部５、履歴管理部６、入力制御部７及び表示制御部８等の機能を実現する。例えば、ＲＯＭ１０５１は、図１に例示した電話帳管理部３、呼制御部４、電話制御部５、履歴管理部６、入力制御部７及び表示制御部８等による処理を実現する各種プログラムを記憶している。そして、プロセッサ１０４０及びＲＡＭ１０５２は、これらの各種プログラムを読み出して実行することで、上述した各機能を実現するプロセスを生成する。
【符号の説明】
【００８９】
１  無線制御部
２  電話帳記憶部
３  電話帳管理部
４  呼制御部
５  電話制御部
６  履歴管理部
７  入力制御部
８  表示制御部
９  履歴記録部
【図１】
2012244186.tif 000003
【図２】
2012244186.tif 000004
【図３】
2012244186.tif 000005
【図４】
2012244186.tif 000006
【図５】
2012244186.tif 000007
【図６】
2012244186.tif 000008
【図７】
2012244186.tif 000009